(57)【要約】【課題】            簡単に身だしなみをチェックすることを可能にする収納用具を提供する。【解決手段】        一実施形態に係る収納用具は、表示用物品を収納する収納用具であって、互いに対向する第１の支持部材と第２の支持部材との間に前記表示用物品を収納する収納領域が形成された本体であって、前記第１の支持部材には、前記収納領域に連通する第１の開口が形成され、前記第２の支持部材には、前記収納領域に連通する第２の開口、及び、該第２の開口を開閉する蓋部が形成された本体と、一端から他端に沿って延び、該一端には前記本体に係合する第１の係合部が形成され、該他端には被接続物品に係合する第２の係合部が形成された接続部材と、を具備する。【選択図】          図２
2014018459.tif 000002
【特許請求の範囲】
【請求項１】
表示用物品を収納する収納用具であって、
互いに対向する第１の支持部材と第２の支持部材との間に前記表示用物品を収納する収納領域が形成された本体であって、前記第１の支持部材には、前記収納領域に連通する第１の開口が形成され、前記第２の支持部材には、前記収納領域に連通する第２の開口、及び、該第２の開口を開閉する蓋部が形成された本体と、
一端から他端に沿って延び、該一端には前記本体に係合する第１の係合部が形成され、該他端には被接続物品に係合する第２の係合部が形成された接続部材と、
を具備する収納用具。
【請求項２】
前記蓋部が、前記収納領域に対向して平行に延びる閉位置と前記収納領域から距離を隔てた開位置との間において変位自在である、請求項１に記載の収納用具。
【請求項３】
前記蓋部が、板状の部材により形成されたものであり、
前記蓋部は、その一端が前記第２の支持部材に連続的に繋がって延びるものである、請求項２に記載の収納用具。
【請求項４】
前記蓋部は、前記閉位置において、その外縁が前記第２の支持部材における前記第２の開口を囲む端面と当接する、請求項３に記載の収納用具。
【請求項５】
前記第１の開口及び前記第２の開口のうちの少なくとも一方が、透明又は半透明の板状の材料により覆われている、請求項１から請求項４のいずれかに記載の収納用具。
【請求項６】
前記収納領域に収納された板状の表示用物品、をさらに具備する、請求項１から請求項５のいずれかに記載の収納用具。
【請求項７】
前記表示用物品が、前記第２の支持部材に対向し、鏡面として形成された第１の面を有する、請求項６に記載の収納用具。
【請求項８】
前記表示用物品が、前記第１の支持部材に対向し、文字列が記載された第２の面を有する、請求項７に記載の収納用具。
【発明の詳細な説明】
【技術分野】
【０００１】
本発明は、ネームプレート等の表示用物品を収納する収納用具に関する。
【背景技術】
【０００２】
従来から、外出先等において身だしなみをチェックするために、登録実用新案第３０７４２５８号公報（特許文献１）に記載されたようなコンパクトミラー（携帯用の鏡）が用いられている。同様の局面において、特に女性には、特開２０１２−１０７５４号公報（特許文献２）に開示されたいわゆる化粧用コンパクトが用いられることも多い。
【先行技術文献】
【特許文献】
【０００３】
【特許文献１】登録実用新案第３０７４２５８号公報
【特許文献２】特開２０１２−１０７５４号公報
【発明の概要】
【発明が解決しようとする課題】
【０００４】
スポーツをしている際にいつでも身だしなみをチェックできるようにするためには、上記文献に記載されたコンパクトミラーや化粧用コンパクトをスポーツウェア等に設けられたポケットに収納しておくことが考えられる。ところが、この場合には、ポケットに収納されたコンパクトミラー等が、プレイヤのスムーズな動きを阻害したり、プレイヤの激しい動きによって破損する可能性がある。よって、プレイヤは、スポーツをしている際には、このようなコンパクトミラー等を携帯せずにバッグに収納しておき、必要に応じて、バッグが置かれた場所まで移動してバッグからコンパクトミラー等を取り出して、身だしなみをチェックする必要がある。
しかしながら、バッグを開け、バッグの中からコンパクトミラー等を探して取り出すには、（バッグが、大きなサイズを有するものであって、様々な物品を収納している場合には特に）ある程度の時間が必要とされる。
【０００５】
そこで、本発明の様々な実施の形態により、簡単に身だしなみをチェックすることを可能にする収納用具を提供する。
【課題を解決するための手段】
【０００６】
一実施形態に係る収納用具は、表示用物品を収納する収納用具であって、互いに対向する第１の支持部材と第２の支持部材との間に前記表示用物品を収納する収納領域が形成された本体であって、前記第１の支持部材には、前記収納領域に連通する第１の開口が形成され、前記第２の支持部材には、前記収納領域に連通する第２の開口、及び、該第２の開口を開閉する蓋部が形成された本体と、一端から他端に沿って延び、該一端には前記本体に係合する第１の係合部が形成され、該他端には被接続物品に係合する第２の係合部が形成された接続部材と、を具備する。
【発明の効果】
【０００７】
本発明の様々な実施の形態により、簡単に身だしなみをチェックすることを可能にする収納用具を提供することができる。
【図面の簡単な説明】
【０００８】
【図１】図１は、本発明の一実施形態に係る収納用具の構成であって蓋部が閉じた状態における構成を示す正面図である。
【図２】図２は、図１に示した収納用具の構成を示す背面図である。
【図３】図３は、図１に示した収納用具の構成を示す左側面図である。
【図４】図４は、図１に示した収納用具の構成であって蓋部が開いた状態における構成を示す正面図である。
【図５】図５は、図４に示した収納用具の構成を示す左側面図である。
【図６】図６は、本発明の一実施形態に係る収納用具により収納されるネームプレートの構成を示す図である。
【図７】図７は、本発明の一実施形態に係る収納用具と被接続物品とを接続する接続部材の構成を示す斜視図である。
【発明を実施するための形態】
【０００９】
以下、様々な実施形態を適宜図面を参照して説明する。なお、図面における共通する構成要素には同一の参照符号が付されている。また、各図面は、便宜上、必ずしも同一の縮尺により示されているとは限らない。
【００１０】
図１は、本発明の一実施形態に係る収納用具の構成であって蓋部が閉じた状態における構成を示す正面図である。図２は、図１に示した収納用具の構成を示す背面図である。図３は、図１に示した収納用具の構成を示す左側面図である。図４は、図１に示した収納用具の構成であって蓋部が開いた状態における構成を示す正面図である。図５は、図４に示した収納用具の構成を示す左側面図である。
【００１１】
本実施形態に係る収納用具１００は、図１から図３に示すように、互いに対向する板状の第１の支持部材１２０と板状の第２の支持部材１３０とを組み合わせることにより形成された本体１１０を有する。本体１１０は、第１の支持部材１２０と第２の支持部材１３０との間に、表示用物品（例えばネームプレート等）を収納する収納領域Ｓを形成する。
【００１２】
第１の支持部材１２０は、例えば、全体的に略矩形状の形状であって上端部における左右両側部分が丸みを有するように形成された形状を有する。第２の支持部材１３０は、第１の支持部材１２０と略同一の形状を有する。すなわち、第２の支持部材１３０もまた、第１の支持部材１２０と同様に、例えば、全体的に略矩形状の形状であって上端部における左右両側部分が丸みを有するように形成された形状を有する。これら第１の支持部材１２０及び第２の支持部材１３０は、例えば、天然皮革、人造皮革、ゴムや樹脂等の可撓性を有する材料により形成されたものである。
【００１３】
このような第１の支持部材１２０と第２の支持部材１３０とは、図３に示すように、互いの内面が対向するように組み合わせられた状態において、これらの支持部材の外周に沿って例えば略コ字状に延びる縫着が施されることにより結合される。また、第１の支持部材１２０と第２の支持部材１３０との結合力を高めるために、これらの支持部材の間に、例えば縫着がなされた部分に沿って、接着剤を付与してもよい。
ただし、第１の支持部材１２０の上端部と第２の支持部材１３０の上端部との間には、何らの縫着が施されておらず、また、接着剤も付与されない。これは、第１の支持部材１２０の上端部と第２の支持部材１３０の上端部との間から、後述する表示用物品が出し入れされるからである。
【００１４】
第１の支持部材１２０に着目すると、図１に示すように、第１の支持部材１２０の中央部分には、例えば矩形状の開口１２２が形成されている。開口１２２は、第１の支持部材１２０と第２の支持部材１３０との間に形成された収納領域Ｓに連通する。収納領域Ｓ（ひいては収納領域Ｓに収納された表示用物品）は、開口１２２を介して外部から視認可能となる。なお、開口１２２の形状は、矩形状に限定されるものではなく、円形状、楕円形状、多角形状等を含む任意の形状であってもよい。
【００１５】
また、第１の支持部材１２０には、開口１２２を覆う透明又は不透明の材料により形成された板状の部材（図示せず）が取り付けられるようにしてもよい。例えば、第１の支持部材１２０の裏面に、開口１２２より大きい面積を有する板状の部材が接着されるようにしてもよい。これにより、収納領域Ｓと外部とがこの板状の部材により遮断されるので、収納領域Ｓに収納された表示用物品がこの板状の部材により保護される。また、表示用物品が開口１２２を通過できるような小さいものである場合には、この板状の部材により開口１２２を通過することができなくなるので、表示用物品の紛失が防止される。この板状の部材が透明又は半透明の材料により形成されることにより、収納領域Ｓ（ひいては収納領域Ｓに収納された表示用物品）は、依然として開口１２２を介して視認可能のままである。
【００１６】
さらに、第１の支持部材１２０の上端部には、係合孔１２５が形成されている。係合孔１２５は、（図示しない）キャディバッグ等の被接続物品と本体１１０とを接続する後述する接続部材３００を取り付けるために形成されるものである。
【００１７】
次に、第２の支持部材１３０に着目すると、図２に示すように、第２の支持部材１３０の中央部分には、例えば矩形状の蓋部１３２が形成されている。この蓋部１３２は、その一端（上端）１３２ａ（すなわち、矩形状部分の１辺）が第２の支持部材１３０に連続的に繋がって延びており、その他の部分（すなわち、矩形状部分の残り３辺）が第２の支持部材１３０から分離したものとなっている。この蓋部１３２は、図２に示す閉位置にあるときには、収納領域Ｓ（ひいては収納領域Ｓに収納される表示用物品）に対向して平行に延びており、収納領域Ｓ（ひいては収納領域Ｓに収納される表示用物品）を覆っている。一方、この蓋部１３２は、図４及び図５に示す開位置にあるときには、収納領域Ｓから距離を隔てており、収納領域Ｓ（ひいては収納領域Ｓに収納される表示用物品）を露出させている。
【００１８】
また、蓋部１３２は、図４に示すような第２の支持部材１３０の中央部に例えば矩形状に形成された開口１３４を開閉する構成要件として表現可能なものでもある。開口１３４は、収納領域Ｓに連通する。収納領域Ｓ（ひいては収納領域Ｓに収納された表示用物品）は、開口１３４を介して外部から視認可能となる。なお、開口１３４の形状は、矩形状に限定されるものではなく、円形状、楕円形状、多角形状等を含む任意の形状であってもよい。この場合、蓋部１３２は、開口１３４の形状と略同一の形状であってもよいし、開口１３４の形状と同一ではなく、開口１３４の内部に納まる任意の形状であってもよい。
【００１９】
図２に示す例では、蓋部１３２と開口１３４とが略同一の形状とされている。これにより、蓋部１３２が図２に示す閉位置にあるときには、蓋部１３２の外縁１３２ａ（図５参照）の略全体が、第２の支持部材１３０における開口１３４を囲む端面（略コ字状に延びる端面）と当接する。したがって、蓋部１３２は、通常の状態では、開位置に向かう方向（すなわち、開口１３４を露出させる方向）には変位しにくくなっている。すなわち、閉位置にある蓋部１３２は、外力が加えられない限り、閉位置に位置し続ける。これにより、蓋部１３２が閉位置から開位置に向かう方向に簡単に変位してだらしなくぶら下がるような事態が確実に避けられる。この結果、蓋部１３２に折れシワや癖シワが生ずることも抑えられる。
なお、図２に示す例のように、蓋部１３２と開口１３４とを略同一の形状にするための手法の一例は、第２の支持部材１３０に略コ字状の切り込みを入れることである。略コ字状の外縁を有する部分が蓋部１３２となる。
【００２０】
また、利用者が、図２に示すように閉位置にある蓋部１３２を開位置に変位させるべく、蓋部１３２を摘もうとしても簡単に摘むことができない可能性もあるので、図２において斜線で示したように、蓋部１３２の下端において、例えば三角形状の切欠き１３２ｃが形成されるようにしてもよい。
【００２１】
蓋部１３２が図２に示す閉位置にあるときには、利用者が、例えば、蓋部１３２と第２の支持部材１３０における開口１３４を囲む端面との間に爪を挿入した上で、その爪を外側に移動させることにより、蓋部１３２は、上記開口１３４を囲む端面との係合を解消して、開口１３４を露出させる方向に移動し、さらには、図５に示す開位置に移動することができる。なお、本実施形態では、便宜上、図５に示したように開口１３４を完全に露出させたときに蓋部１３２が取る位置を「開位置」と称しているが、開口１３４、収納領域Ｓ又は収納領域Ｓに収納された表示用物品が少なくとも部分的に外部から視認可能となったときに蓋部１３２が取る位置を「開位置」と称してもよい。
【００２２】
蓋部１３２は、上述したように、その一端１３２ａにおいて第２の支持部材１３０に連続的に繋がったもの、すなわち、第２の支持部材１３０と同一の材料により形成されたものである。よって、図４及び図５に示す開位置にある蓋部１３２は、図２に示す閉位置に戻るように付勢されることになる。
【００２３】
また、第２の支持部材１３０には、開口１３４を覆う透明又は不透明の材料により形成された板状の部材（図示せず）が取り付けられるようにしてもよい。例えば、第２の支持部材１３０の裏面に、開口１３４より大きい面積を有する板状の部材が接着されるようにしてもよい。これにより、収納領域Ｓと外部とがこの板状の部材により遮断されるので、収納領域Ｓに収納された表示用物品がこの板状の部材により保護される。また、表示用物品が開口１３４を通過できるような小さいものである場合には、この板状の部材により開口１３４を通過することができなくなるので、表示用物品の紛失が防止される。この板状の部材が透明又は半透明の材料により形成されることにより、収納領域Ｓ（ひいては収納領域Ｓに収納された表示用物品）は、蓋部１３２が開位置にあるときには、依然として開口１３４を介して視認可能である。
【００２４】
さらに、図２に示すように、第２の支持部材１３０の上端部には、係合孔１３５が形成されている。係合孔１３５は、第１の支持部材１２０に形成された係合孔１２５に連通する。係合孔１３５は、（図示しない）キャディバッグ等の被接続物品と本体１１０とを接続する後述する接続部材３００を取り付けるために形成されるものである。
【００２５】
次に、本体１１０に収納される表示用物品の具体例について、さらに図６を参照して説明する。図６（ａ）は、本発明の一実施形態に係る収納用具により収納されるネームプレートの構成を示す正面図である。図６（ｂ）は、図６（ａ）に示した収納用具の構成を示す左側面図である。
【００２６】
図６には、本実施形態において用いられる表示用物品の一態様であるネームプレート２００が示されている。ネームプレート２００は、略矩形状の板状の部材により形成されたものである。具体的には、例えば、ネームプレート２００は、略矩形状の板状の第１の部材２０２と、略矩形状の板状の第２の部材２０４と、を組み合わせて形成されたものである。第１の部材２０２と第２の部材２０４とは、互いの裏面を接着剤により張り合わせて結合されている。第１の部材２０２は、例えばアクリル等の樹脂により形成された部材であり、第２の部材２０４は、鏡面加工がなされた部材、すなわち、ミラープレートである。すなわち、ネームプレート２００の表面２００ａは、第１の部材２０２の表面であって利用者の名前や住所等が表示されたものであり、ネームプレート２００の裏面２００ｂは、第２の部材２０４の表面であって鏡面となっている。
このようなネームプレート２００によれば、第１の部材２０２（アクリルプレート）が第２の部材２０４（ミラープレート）を補強するように機能するので、第２の部材２０４が衝撃により破損するという事態の発生を抑えることができる。
【００２７】
このネームプレート２００は、上述した本体１１０の収納領域Ｓに収納される。具体的には、ネームプレート２００は、図１に示した第１の支持部材１２０の上端部と、図２に示した第２の支持部材１３０の上端部との間には、縫着も接着も施されていないため、第１の支持部材１２０の上端部の内面と、第２の支持部材１３０の上端部の内面との間に押し込まれることにより、両内面間を押し広げて通過し、図１及び図２等において点線により示した収納領域Ｓに到達して収納される（なお、ネームプレート２００が通過した後は、第１の支持部材１２０の上端部の内面と第２の支持部材１３０の上端部の内面とは、再度当接する）。本体１１０の収納領域Ｓにネームプレート２００が収納されると、可撓性を有する材料により形成された第１の支持部材１２０及び第２の支持部材１３０は、ともに外側に向かって撓むことにより、図３に示すように、収納領域Ｓに対向する部分（それぞれ部分１２６及び部分１３６）において隆起する。
【００２８】
収納領域Ｓに収納されたネームプレート２００の表面２００ａ（利用者の名前等が表示された第１の部材２０２の表面）は、図１に示した開口１２２を介して外部から視認可能である。開口１２２が透明又は半透明の板状の部材により覆われているときには、ネームプレート２００の表面２００ａは、この板状の部材により保護される。
【００２９】
収納領域Ｓに収納されたネームプレート２００の裏面２００ｂ（鏡面である第２の部材２０４の表面）は、蓋部１３２が図２に示した閉位置にあるときには、蓋１３２により覆われているため、外部から視認できない。すなわち、ネームプレート２００の裏面２００ｂは、蓋１３２により保護されている。
【００３０】
一方、蓋部１３２が図４に示した開位置にあるときには、ネームプレート２００の裏面２００ｂは、開口１３４を介して外部から視認可能である。開口１３４が透明又は半透明の板状の材料により覆われているときにも、ネームプレート２００の裏面２００ｂは、依然として、開口１３４及びこの板状の材料を介して外部から視認可能であるが、この板状の材料により保護される。
【００３１】
なお、本実施形態では、本体１１０が第１の支持部材１２０と第２の支持部材１３０とを縫着して形成された袋状の構造を有する場合について説明したが、対向する２つの部材の間に収納領域が形成され、この収納領域が第１の開口を介して外部に連通し、この収納領域が第１の開口に対向する第２の開口に連通し、かつ、第２の開口にこの第２の開口を開閉する蓋部が取り付けられている限りにおいて、本体１１０は、全体として直方体状、立方体状や球体状等を含む任意の形状を有するものであってもよい。また、本体１１０は、必ずしも可撓性を有する材料により形成されなければならないものでもない。
【００３２】
また、本実施形態では、表示用物品が板状のネームプレートである場合について説明したが、表示用物品は、本体１１０に収納可能である限りにおいて、直方体状、立方体状や球体状等を含む任意の形状を有するものであってもよい。
【００３３】
さらに、本実施形態では、板状のネームプレートの表面に氏名等が記載され、ネームプレートの裏面が鏡面とされる場合について説明した。表面が第１の言語（例えば日本語）により標記された氏名等が記載され、裏面が第２の言語（例えば英語）により標記された氏名等が記載されたネームプレートを用いてもよい。
【００３４】
また、本実施形態では、表示用物品がネームプレートである場合について説明したが、表示用物品は、免許証や学生証等の身分証明書を含む様々な種類のカードから選択された複数のカードであってもよい。この場合、一方の開口からは常時第１のカード（例えばゴルフクラブの会員証）が視認可能であり、他方の開口からは蓋部を開位置に変位させることにより第２のカード（例えば免許証）が視認可能となる。
【００３５】
次に、本体部１１０とキャディバッグ等の被接続物品（図示しない）とを接続する接続部材の具体例について、さらに図７を参照して説明する。図７は、本発明の一実施形態に係る収納用具と被接続物品とを接続する接続部材の構成を示す斜視図である。
【００３６】
図７に示すように、接続部材３００は、腕時計やタグ等に用いられる「革ベルト」と称されることもある部材である。このような革ベルトは、市場において広く流通する非常によく知られた製品であるので、その詳細な説明を省略する。
【００３７】
接続部材３００は、簡単に説明すると、略８字状に形成された金属製の金具３０２と、金具３０２に取り付けられ皮革により形成されたベルト部３０４と、を含む。全体的に環状に延びるベルト部３０４の先端部３０４ａは、金具３０２の中心に延びる棒状部に巻きつけられ固定される。ベルト部３０４の末端部３０４ｂは、金具３０２に巻き付いた後、略ロ字状に延びる支持部材３０６により、ベルト部３０４の先端部３０４ａとともにまとめられる。
【００３８】
ベルト部３０４の末端部３０４ｂを、支持部材３０６及び金具３０２から取り外し、図１及び図２にそれぞれ示した本体１１０に形成された係合孔１２５、１３５を通過させることにより、ベルト部３０４の一端３０４ｃ（第１係合部）が、本体１１０の係合孔１２５、１３５に係合する。これにより、接続部材３００が本体１１０に取り付けられる。また、同様に、ベルト部３０４の末端部３０４ｂを、支持部材３０６及び金具３０２から取り外し、スポーツバッグやキャディバッグ等の被接続物品（図示しない）の例えば把手部分やリング状の部材を通過させることにより、ベルト部３０４の他端３０４ｄ（第２係合部）が、被接続物品に係合する。これにより、接続部材３００が被接続物品に取り付けられる。このように、接続部材３００は、本体１１０と被接続物品（図示せず）とを接続する。
【００３９】
なお、図７に示した接続部材３００は、単なる一例に過ぎず、環状に延びる紐、環状に延びるチェーン等を含む任意の部材であってもよい。
【００４０】
このように、本実施形態によれば、スポーツをしているプレイヤは、身だしなみを整えるべく鏡を見たい場合には、キャディバッグやスポーツバッグ等の被接続部材に取り付けられた収納用具を手に取り、収納用具の開口に取り付けられた蓋部を閉位置から開位置に変位させて、収納領域に収納された表示用物品を露出させることにより、開口を介して、表示用物品に設けられた鏡面に自分の姿を映すことができる。プレイヤは、キャディバッグやスポーツバッグを開けることも、その内部を調べることをも必要とせず、迅速かつ簡単に収納用具を用いて自分の姿を鏡面に映し出すことができる。
また、このような収納用具は、この用具に設けられた接続部材により、環状に延びる部材を有するどのようなキャディバッグやスポーツバッグ等の被接続部材に接続することができるものである。よって、プレイヤは、スポーツをする場所等に手軽に収納用具を持ち運ぶことができるので、いつでも簡単に身だしなみをチェックすることができる。
さらに、例えばゴルフをプレイするプレイヤは、従来、キャディバッグの把手などに携帯用の鏡を取り付けておき、この鏡を用いていつでも身だしなみを整えられるようにすることが多い。この場合、キャディバッグの搬送中に鏡に物（例えば他のキャディバッグ等）が衝突して鏡が破損する可能性がある。また、鏡自体がそのまま露出した状態でキャディバッグに取り付けられると、直射日光が鏡に反射して様々なプレイヤや通行人等の目に入射して眩しさを与える可能性もある。しかしながら、上述した実施形態に係る収納用具をキャディバッグに取り付けた場合には、ネームプレート２００の裏面２００ｂ（鏡面）は、通常、蓋部１３２により覆われているため、収納用具に物（他のキャディバッグ等）が衝突しても、その衝撃から保護されることにより、破損しにくくなっている。また、ネームプレート２００の裏面２００ｂ（鏡面）は、通常、蓋部１３２により覆われているため、直射日光を周りに向かって反射することもない。一方、プレイヤは、いつでも、蓋部１３２を開位置に変位させることにより、ネームプレート２００の裏面２００ｂ（鏡面）を露出させて、その鏡面に自分の姿を映し出して身だしなみをチェックすることができる。
【符号の説明】
【００４１】
１００  収納用具
１１０  本体
１２０  第１の支持部材
１３０  第２の支持部材
１２２  開口
１３２  蓋部
１３４  開口
Ｓ  収納領域
３００  接続部材
【図１】
2014018459.tif 000003
【図２】
2014018459.tif 000004
【図３】
2014018459.tif 000005
【図４】
2014018459.tif 000006
【図５】
2014018459.tif 000007
【図６】
2014018459.tif 000008
【図７】
2014018459.tif 000009